(57)【要約】【課題】集塵後に吸入口を塞ぎ塵埃がこぼれるのを防止できる電気掃除機用集塵袋、およびそれを用いた電気掃除機に関するものである。【解決手段】通気性および可撓性を有する樹脂不織布で形成された袋状体と、前記袋状体に設けられた吸入口と、前記吸入口に取り付けられ塵埃吸込口を有する支持板と、前記吸入口の外側に糸（紐）を通し、糸（紐）の両端を袋状体の外に引き出した構成とすることで、集塵後のごみ捨て時には前記糸（紐）の端部を引っ張ることで袋状体の吸入口を絞り、ごみこぼれを防止することができる。【選択図】図２
2008036066.tif 000002
【特許請求の範囲】
【請求項１】
塵埃吸引用の開口部を有すると共に電気掃除機内に装着される支持板と、吸入口を有し前記開口部と連通状態で前記支持板に固着され、通気性および可撓性を有する樹脂不織布で形成された袋状体と、前記吸入口の外周側に糸または紐を通し、この糸または紐の両端を袋状体の外に引き出した構成とする電気掃除機用集塵袋。
【請求項２】
支持板に溝等の被係合部を設け、袋状体の外に引き出された糸または紐の端部を支持板の被係合部に保持できる構成とした請求項１に記載の電気掃除機用集塵袋。
【請求項３】
吸入口の外側に輪状の２本の糸または紐を通し、前記２本の糸または紐の引き出し部分を吸入口に対して対向するように配置した請求項２に記載の電気掃除機用集塵袋。
【請求項４】
吸引風を発する塵埃吸引用の電動送風機と、請求項１〜３に記載された電気掃除機用集塵袋を収納する集塵室を備えた電気掃除機。
【発明の詳細な説明】
【技術分野】
【０００１】
本発明は、集塵後に吸入口を塞ぎ塵埃がこぼれるのを防止できる電気掃除機用集塵袋およびそれを用いた電気掃除機に関するものである。
【背景技術】
【０００２】
従来の電気掃除機用集塵袋は、濾材を紙で形成した袋状体の紙パックが主であり、前記紙パックでは支持板の一部を折り返し、塵埃吸込口を塞ぐ方式や、支持板へ別部品を設けて使用後に塵埃吸込口を覆う構成としていた（例えば、特許文献１、２参照）。
【特許文献１】実開昭５８−１８１３６０号公報
【特許文献２】特許第２７７０７３８号公報
【発明の開示】
【発明が解決しようとする課題】
【０００３】
しかしながら、上記構成では塵埃吸込口を完全に塞ぐことができないために、ごみをこぼしてしまったり、高価な別部品をつける必要があった。
【０００４】
本発明は上記課題を解決するもので、部品点数が少なく安価に、使い勝手のよい電気掃除機用集塵袋およびそれを用いた電気掃除機を提供することを目的とする。
【課題を解決するための手段】
【０００５】
上記従来の課題を解決するために本発明は、塵埃吸引用の開口部を有すると共に電気掃除機内に装着される支持板と、吸入口を有し前記開口部と連通状態で前記支持板に固着され、通気性および可撓性を有する樹脂不織布で形成された袋状体と、前記吸入口の外周側に糸（紐）を通し、この糸（紐）の両端を袋状体の外に引き出した構成とすることで、集塵後のごみ捨て時には前記糸（紐）の端部を引っ張ることで袋状体の吸入口を絞り、ごみこぼれを防止することができる。
【発明の効果】
【０００６】
上記発明によれば、電気掃除機本体から集塵袋を取り出す前に吸入口を塞ぐことで、ごみこぼれを防ぎ、清潔なごみ捨てを可能にできる使い勝手のよい電気掃除機用集塵袋およびそれを用いた電気掃除機を提供するものである。
【発明を実施するための最良の形態】
【０００７】
第１の発明は、塵埃吸引用の開口部を有すると共に電気掃除機内に装着される支持板と、吸入口を有し前記開口部と連通状態で前記支持板に固着され、通気性および可撓性を有する樹脂不織布で形成された袋状体と、前記吸入口の外周側に糸または紐を通し、この糸または紐の両端を袋状体の外に引き出した構成としたもので、樹脂不織布は紙パックと比較して強度的に強く糸（紐）を通して引っ張っても破れることはないため、集塵後のごみ捨て時には前記糸（紐）の端部を引っ張ることで袋状体の吸入口を絞り、ごみこぼれを防止することができる。
【０００８】
第２の発明は、支持板に溝等の被係合部を設け、袋状体の外に引き出された糸または紐の端部を支持板の被係合部に保持できる構成としたもので、掃除中に糸または紐が動かないように固定することで、ごみ捨て時の使い勝手を向上できるものである。
【０００９】
第３の発明は、吸入口の外側に輪状の２本の糸または紐を通し、前記２本の糸または紐の引き出し部分を吸入口に対して対向するように配置したもので、吸入口をより均一に絞ることが可能になるとともに、輪状の糸または紐とすることでごみ捨て時に持ち運びようの持ち手として活用でき、ごみを溜めている袋状体を直接持たなくてよい清潔的で使い勝手のよい集塵袋を提供できるものである。
【００１０】
第４の発明は、吸引風を発する塵埃吸引用の電動送風機と、請求項１〜３に記載された電気掃除機用集塵袋を収納する集塵室を備えたもので、別部品を用いることなく安価にごみこぼれを防止できる電気掃除機用集塵袋を用いることで、電気掃除機自体の原価を低減し、使い勝手を向上できる。
【００１１】
以下、本発明の実施の形態について、図面を参照しながら説明する。なお、この実施の形態によりこの発明が限定されるものではない。
【００１２】
（実施の形態１）
本発明の実施の形態について、図１〜図６を用いて説明する。
【００１３】
図１は第１の実施の形態における電気掃除機用集塵袋を用いた電気掃除機の断面図、図２は同電気掃除機用集塵袋の全体斜視図、図３は同掃除機用集塵袋の正面図、図４は同掃除機用集塵袋の側面図、図５は同掃除機用集塵袋の支持板に被係合部を設け糸（紐）を保持した状態の正面図、図６は同掃除機用集塵袋の吸入口を糸（紐）で絞った状態の側面図を示す。
【００１４】
図１〜図６において、電気掃除機本体１は、吸引風を発生させる電動送風機２と、電動送風機２の吸引風の上流側には集塵体である集塵袋３を収納するための集塵室４を設けている。
【００１５】
次に集塵袋の詳細について説明する。
【００１６】
集塵袋３は、２枚の通気性および可撓性を有する樹脂不織布を、超音波溶着部５を超音波溶着し接合して袋状に形成した袋状体６と、袋状体６に設けられた吸入口７と、吸入口７に取り付けられ塵埃吸引用の開口部８を有する支持板９と、吸入口７の外周側（例えば、吸入口７に対し吸入口７の半径程度外側にオフセットした位置）に輪状の糸（紐）１０を通したものである。
【００１７】
尚、糸（紐）１０の通し方としては、支持板９の袋状体６の取り付け面側から後方に少し間隔をあけた位置において、袋状体６の樹脂不織布の厚み内で通す方法や、袋状体６の外側に糸または紐通し部を数箇所設け袋状体６の外側を通す方法や、袋状体６の樹脂不織布の外部と内部を交互に縫う様に通す方法や、袋状体６の内側に糸または紐通し部を数箇所設け袋状体６の内側を通す方法等で本発明の構成は成し得られるものである。
【００１８】
また、支持板９の上部には溝等の切り欠き部（被係合部）１１を設け、糸（紐）１０の引き出し部を引っ掛けることを可能とした構成である。
【００１９】
以上のように構成された電気掃除機について、以下その動作、作用を説明する。
【００２０】
掃除機本体１を運転すると電動送風機２が回転し、その吸引風により塵埃が開口部８および吸入口７を通り集塵袋３へと捕集される。
【００２１】
繰り返し掃除を行い、集塵袋３が塵埃で一杯になり集塵袋３の廃棄を行う際、取り出し前に糸（紐）１０の引き出し部を引っ張ると、吸入口が絞られ本体１から取り出して捨てるまでの間に吸入口からゴミがこぼれることを防止できるものである。
【００２２】
つまり本発明では、集塵袋３の袋状体６を樹脂不織布としているため、従来の紙パックの紙濾材と比較して強度的に強く糸（紐）１０を通して引っ張っても破れることがなく、袋状体６の吸入口７を絞りこむ構成が成し得られるものである。
【００２３】
また、この糸（紐）１０はループ状になっているため、ゴミ捨て時には、持ち手としても活用でき、糸（紐）１０部を持つことで吸入口を上向きにでき、かつ集塵した袋状体６に直接手を触れることなくゴミ捨てを行うことができ非常に衛生的である。
【００２４】
上記のように、本発明の集塵袋３は、別部品を用いることなく小スペースで、より信頼性の高い機能を持った集塵袋とすることができ、安価に機能性と使い勝手を向上することができ、電気掃除機自体の原価も低減できるものである。
【産業上の利用可能性】
【００２５】
以上のように、本発明にかかる電気掃除機用集塵袋およびそれを用いた電気掃除機は、部品点数が少なく安価に、掃除機本体から取り出しやすく、使い勝手を向上できるため、家庭、業務用等の電気掃除機に特に有用である。
【図面の簡単な説明】
【００２６】
【図１】本発明の実施の形態１を示す電気掃除機用集塵袋を用いた電気掃除機の断面図
【図２】同電気掃除機用集塵袋の全体斜視図
【図３】同電気掃除機用集塵袋の正面図
【図４】同電気掃除機用集塵袋の側面図
【図５】同電気掃除機用集塵袋の支持板に被係合部を設け糸（紐）を保持した状態の正面図
【図６】同電気掃除機用集塵袋の吸入口を糸（紐）で絞った状態の側面図
【符号の説明】
【００２７】
１  電気掃除機本体
２  電動送風機
３  集塵袋
４  集塵室
６  袋状体
７  吸入口
８  開口部
９  支持板
１０  糸（紐）
１１  切り欠き部（被係合部）
【図１】
2008036066.tif 000003
【図２】
2008036066.tif 000004
【図３】
2008036066.tif 000005
【図４】
2008036066.tif 000006
【図５】
2008036066.tif 000007
【図６】
2008036066.tif 000008